(57)【要約】【課題】従来の方法で必要であった作業手間を省くことができると共に、アンテナピンを、導波管に高精度に取付可能な導波管アンテナピン固定治具を提供する。【解決手段】導波管シャーシ６の斜面７１に接面可能な斜面部２１を備えた把手部２と、アンテナピン１０ａが挿入可能な溝部３１を有し該溝部３１に挿入されたアンテナピン１０ａ用のアンテナピン位置決手段（３２，３３ａ）を内部に備えた胴体部３とで構成され、回路基板９が装着された導波管シャーシ６の内部に挿入されて斜面部２１が導波管シャーシ６の斜面７１に接面し、且つ、アンテナピン１０ａが回路基板９の取付孔９１、及び、導波管シャーシ６の挿入孔８１を貫通して回路基板９に取付られると、溝部３１にアンテナピン１０ａが挿入され、該アンテナピン１０ａがアンテナピン位置決手段（３２，３３ａ）により位置決めされるようにして導波管アンテナピン固定治具１Ａａを構成する。【選択図】図１３
2009147433.tif 000002
【特許請求の範囲】
【請求項１】
中空で筒状の胴部内部空間を備えた胴部、及び、該胴部の後端から後方の外部に向かってメガホン状に広がる斜面で囲まれると共に前記胴部内部空間と連通した開口部内部空間を有する開口部、を備えた導波管シャーシと、前記胴部の外側面に装着された回路基板と、該回路基板に形成された取付孔、及び、前記胴部に形成された挿入孔を貫通すると共に、該胴部の胴部内部空間に突出して、前記回路基板に固定されたアンテナピンと、で構成される導波管に対して、前記アンテナピンを、前記回路基板に固定する作業に用いられる導波管アンテナピン固定治具であって、
把手部と、胴体部と、で構成され、
前記把手部は、前部に前記該導波管シャーシの開口部の斜面と接面可能な斜面部を備え、
前記胴体部は、前記把手部の斜面部の前端に結合しており、筒状で、前記アンテナピンが挿入可能な溝部を備えると共に、前記胴体部の内部に、前記溝部に挿入されたアンテナピンの前記導波管シャーシに対する位置決めを行うアンテナピン位置決手段を備えており、
前記アンテナピンが前記回路基板に取付られていない状態の該回路基板が装着された前記導波管シャーシの開口部へ、前記把手部が、前方へ向かって挿入されて、前記把手部の斜面部が前記該導波管シャーシの開口部の斜面に接面すると、前記胴体部は、前記導波管シャーシの胴部の胴部内部空間に挿入された状態となり、
前記アンテナピンが、前記回路基板に形成された取付孔、及び、前記胴部に形成された挿入孔を貫通して、該回路基板に取付られると、前記胴体部の溝部に、前記アンテナピンが挿入されると共に、該アンテナピンが、前記アンテナピン位置決手段により位置決めされることを特徴とする導波管アンテナピン固定治具。
【請求項２】
請求項１記載の導波管アンテナピン固定治具において、
前記位置決手段は、前記把手部側から、前方に向かって該アンテナピンの先端の側部に接する固定片と、該固定片と前記アンテナピンの先端を間に挟んで対面する側から、後方に向かって前記アンテナピンの先端に接すると共に、前方に可動可能な可動片と、で構成される導波管アンテナピン固定治具。
【請求項３】
請求項２記載の導波管アンテナピン固定治具において、
前記位置決手段の前記可動片は、
前記アンテナピンの先端に接する部分が、前方へ傾斜可能で、且つ、静止状態を維持するように付勢されると共に、
前記アンテナピンが前記回路基板に固定された後に、前記把手部が、前記導波管シャーシの開口部から後方へ向かって引出されると、
可動片の頂部が、アンテナピンの先端に係止されて前方に向かって傾斜すると共に、該可動片の頂部がアンテナピンの先端をかすめて通りすぎた後は、可動片の頂部は、元の位置に戻るように構成される導波管アンテナピン固定治具。
【請求項４】
請求項２又は３記載の導波管アンテナピン固定治具において、
前記位置決手段の前記可動片は、前記アンテナピンの先端の側部に接するように構成される導波管アンテナピン固定治具。
【請求項５】
請求項２又は３記載の導波管アンテナピン固定治具において、
前記位置決手段の前記可動片は、前記アンテナピンの先端の側部、及び、該先端の頂部に接するように構成される導波管アンテナピン固定治具。
【請求項６】
請求項１〜５のいずれか１項に記載の導波管アンテナピン固定治具において、
前記アンテナピンとして、直線状のストレート形アンテナピンが用いられると共に、
前記胴体部の溝部は、該ストレート形アンテナピンが挿入可能な形状で形成される導波管アンテナピン固定治具。
【請求項７】
請求項１〜５のいずれか１項に記載の導波管アンテナピン固定治具において、
前記アンテナピンとして、前記導波管の前後方向に対して直角に屈曲したＬ字状のＬ形アンテナピンが用いられると共に、
前記胴体部の溝部は、該Ｌ形アンテナピンが挿入可能な形状で形成される導波管アンテナピン固定治具。
【請求項８】
請求項１〜５のいずれか１項に記載の導波管アンテナピン固定治具において、
前記アンテナピンとして、前記導波管の前後方向に対して左右方向に並べて配置された直線状のストレート形アンテナピン、及び、Ｌ字状のＬ形アンテナピンが用いられると共に、
前記胴体部は、前記ストレート形アンテナピンが挿入可能な形状の前記溝部、及び、前記Ｌ形アンテナピンが挿入可能な形状の前記溝部を備えると共に、前記ストレート形アンテナピン用と前記Ｌ形アンテナピン用の２個の前記アンテナピン位置決手段を備えている導波管アンテナピン固定治具。
【請求項９】
請求項１〜５のいずれか１項に記載の導波管アンテナピン固定治具において、
前記アンテナピンとして、前記導波管の前後方向に対して左右方向に並べて配置されると共に、左右対称に屈曲した２本のθ形アンテナピンが用いられると共に、
前記胴体部は、２本の前記θ形アンテナピンが挿入可能な左右対称な形状の２本の前記溝部、及び、前記θ形アンテナピン用の２個の前記アンテナピン位置決手段を備えている導波管アンテナピン固定治具。
【請求項１０】
請求項１〜９のいずれか１項に記載の導波管アンテナピン固定治具を複数用いた複合導波管アンテナピン固定治具であって、
同一構成で同一形状の前記導波管が複数隣接して並べて形成された複合導波管に対して、
前記複合導波管を構成する前記導波管の個数と同数の前記導波管アンテナピン固定治具を、隣接する前記導波管相互間のピッチに合わせて並べると共に、前記複合導波管を構成する導波管シャーシに、挿入可能に結合して構成した複合導波管アンテナピン固定治具。
【請求項１１】
請求項１〜１０のいずれか１項に記載の導波管アンテナピン固定治具、又は、複合導波管アンテナピン固定治具を用いた導波管アンテナピン固定方法であって、
前記アンテナピンが、前記回路基板に取付られていない状態で、該回路基板を前記導波管シャーシに取付る回路基板取付工程と、
前記回路基板が装着済の導波管シャーシに、前記導波管アンテナピン固定治具、又は、前記複合導波管アンテナピン固定治具を挿入して、前記把手部の斜面部を、前記導波管シャーシの開口部の斜面に接面させる治具挿入工程と、
前記アンテナピンを、前記導波管シャーシに装着済の前記回路基板に取付ると共に、前記アンテナピンが前記胴体部の溝部に挿入されて、前記導波管シャーシに対する位置決めが行われるアンテナピン取付工程と、
前記アンテナピンを、前記回路基板に固定するアンテナピン固定工程と、
前記導波管シャーシから、前記導波管アンテナピン固定治具、又は、前記複合導波管アンテナピン固定治具を引出して除去する治具除去工程と、でなる導波管アンテナピン固定方法。
【発明の詳細な説明】
【技術分野】
【０００１】
本発明は、プリンタや複写機等に用いられる画像読取装置、及び、画像読取方法に関する。
【背景技術】
【０００２】
今日、ラジオやテレビ等の放送は、日常生活における情報源として、必要不可欠な存在となっている。特に、最近では、人工衛星を使った衛星放送が注目されており、この衛星放送を受信するために用いられる装置のコストダウンが要請されている。このコストダウンの要請の一環として、衛星放送を受信するのに用いられる導波管に対するコストダウンが要請されている。
【０００３】
この導波管に対するコストダウンとしては、まず、導波管そのもののコストダウンを図る試みがなされている（例えば、特許文献１参照）。特許文献１は、従来、金型を用いてダイキャスト成形により製造されていた導波管を、金属板を成形加工することにより製造する方法に関するものである。
【０００４】
上記のほか、導波管に関するコストダウンとしては、導波管に取り付けられるアンテナピンの取付作業に関するものがある。例えば、衛星放送受信用コンバータに用いられる導波管には、回路基板が装着されると共に、アンテナピンを導波管の内部空間に突出させてこの回路基板に取付る必要がある。このアンテナピンの導波管に対する取付には、高い精度が要求される。
【０００５】
そこで、従来、このアンテナピンの導波管に対する取付の精度維持と取付作業のコストダウンのために、治具が用いられている。即ち、まず、治具を用いてアンテナピンを回路基板に対して高精度で位置決めして取付ると共に、ハンダ付等によりアンテナピンを回路基板に固定した後、このアンテナピンが固定された回路基板を、治具から外して、導波管に装着している。
【特許文献１】特開２００２−３４４２２９号公報
【発明の開示】
【発明が解決しようとする課題】
【０００６】
しかしながら、上記の方法では、アンテナピンが固定された回路基板を、治具から外して、導波管に装着する必要があり、手間がかかるという問題があった。又、治具を用いるので、アンテナピンを回路基板に対して高精度で位置決めして固定することはできるが、このアンテナピンが固定された回路基板を導波管に高精度で装着することは容易ではない。特に、導波管における回路基板の取付部分の寸法精度が低いと、導波管におけるアンテナピンの位置決め精度が低下して、衛星放送受信用コンバータの性能低下を招くという問題があった。
【０００７】
そこで、この発明は、このような問題を解決するためになされたものであって、回路基板をこの回路基板にアンテナピンを固定するのに用いた治具から外して導波管に装着するというような、従来の方法で必要であった手間を省くことができると共に、アンテナピンを導波管に対して高精度に取付ることができる導波管アンテナピン固定治具、及び、導波管アンテナピン固定方法を、提供しようとするものである。
【０００８】
尚、本明細書では、導波管そのものと、アンテナピン及び回路基板が取付られた導波管とを区別するために、以下、導波管そのものを導波管シャーシと称し、この導波管シャーシにアンテナピン及び回路基板が取付られた全体を、単に、導波管と称する。
【課題を解決するための手段】
【０００９】
最初に、本発明の導波管アンテナピン固定治具について説明する。本発明の導波管アンテナピン固定治具は、次のような導波管に対して用いられる治具である。この導波管は、導波管シャーシ、回路基板、及び、アンテナピンで構成される。
【００１０】
この内、導波管シャーシは、中空で筒状の胴部内部空間を備えた胴部、及び、該胴部の後端から後方の外部に向かってメガホン状に広がる斜面で囲まれると共に、胴部内部空間と連通した開口部内部空間を有する開口部、を備えている。
【００１１】
又、回路基板は、胴部の外側面に装着される基板である。そして、アンテナピンは、
この回路基板に形成された取付孔、及び、上記の導波管シャーシの胴部に形成された挿入孔を貫通すると共に、該胴部の胴部内部空間に突出して、回路基板に固定される。
【００１２】
本発明の導波管アンテナピン固定治具は、上記のような導波管に対して、アンテナピンを、回路基板に固定する作業に用いられる。この導波管アンテナピン固定治具は、把手部と、胴体部と、で構成される。
【００１３】
この内、把手部は、前部に導波管シャーシの開口部の斜面と接面可能な斜面部を備えている。又、胴体部は、把手部の斜面部の前端に結合しており、筒状で、アンテナピンが挿入可能な溝部を備えると共に、胴体部の内部に、該溝部に挿入されたアンテナピンの位置決めを行うアンテナピン位置決手段を備えている。
【００１４】
上記の導波管アンテナピン固定治具は、次のようにして用いられる。即ち、アンテナピンが回路基板に取付られていない状態の該回路基板が装着された導波管シャーシの開口部へ、上記の導波管アンテナピン固定治具の把手部が、前方へ向かって挿入される。即ち、上記の導波管アンテナピン固定治具が、導波管シャーシの開口部へ挿入される。
【００１５】
そして、把手部の斜面部が該導波管シャーシの開口部の斜面に接面すると、上記の導波管アンテナピン固定治具の胴体部は、導波管シャーシの胴部の胴部内部空間に挿入された状態となる。
【００１６】
そこで、次に、アンテナピンが、回路基板に形成された取付孔、及び、胴部に形成された挿入孔を貫通して、該回路基板に取付られると、胴体部の溝部に、アンテナピンが挿入されると共に、該アンテナピンが、アンテナピン位置決手段により位置決めされるのである。
【００１７】
上記の導波管アンテナピン固定治具を用いると、既に導波管シャーシに装着済の回路基板に、アンテナピンを取付ることができるので、従来の方法で必要であった、回路基板にアンテナピンを固定するのに用いた治具から回路基板を外して導波管シャーシに装着するというような手間を、省くことができる。
【００１８】
又、上記の導波管アンテナピン固定治具を用いると、この導波管アンテナピン固定治具を、直接、導波管シャーシの内部に挿入して、この導波管シャーシに対するアンテナピンの位置決めを行うことができるので、アンテナピンの導波管シャーシへの取付を、高精度に行うことができる。
【００１９】
上記の導波管アンテナピン固定治具において、位置決手段を、把手部側から、前方に向かって該アンテナピンの先端の側部に接する固定片と、該固定片とアンテナピンの先端を間に挟んで対面する側から、後方に向かってアンテナピンの先端に接すると共に、前方に可動可能な可動片と、で構成するのが好適である。
【００２０】
このようにすることにより、導波管アンテナピン固定治具を、シンプルに構成することができ、導波管アンテナピン固定治具のコスト増加を抑制することができる。
【００２１】
又、上記の導波管アンテナピン固定治具において、位置決手段の可動片を、次のように構成するのが好適である。即ち、まず、位置決手段の可動片を、この可動片がアンテナピンの先端に接する部分が、前方へ傾斜可能で、且つ、静止状態を維持するように付勢する。
【００２２】
そして、アンテナピンが回路基板に固定された後に、導波管アンテナピン固定治具の把手部が、導波管シャーシの開口部から後方へ向かって引出されると、即ち、導波管アンテナピン固定治具が、導波管シャーシの開口部から後方へ向かって引出されると、可動片の頂部が、アンテナピンの先端に係止されて前方に向かって傾斜すると共に、該可動片の頂部がアンテナピンの先端をかすめて通りすぎた後は、可動片の頂部が、元の位置に戻るように構成するのである。
【００２３】
このようにすることにより、導波管アンテナピン固定治具を、導波管シャーシからスムースに引出すことができると共に、導波管アンテナピン固定治具の位置決手段の可動片を、シンプルに構成することができ、導波管アンテナピン固定治具のコスト増加を抑制することができる。
【００２４】
又、上記の導波管アンテナピン固定治具において、位置決手段の上記の可動片を、アンテナピンの先端の側部に接するように構成してもよい。このように構成された可動片を用いることで、導波管シャーシに対するアンテナピンの、導波管シャーシの前後方向の位置決めを行うことができる。
【００２５】
又、上記の導波管アンテナピン固定治具において、位置決手段の上記の可動片を、アンテナピンの先端の側部、及び、該先端の頂部に接するように構成してもよい。このように構成された可動片を用いることで、導波管シャーシに対するアンテナピンの、導波管シャーシの前後方向のみならず、アンテナピンの高さ方向の位置決めをも行うことができる。
【００２６】
又、上記の各導波管アンテナピン固定治具としては、アンテナピンとして、直線状のストレート形アンテナピンを用いた導波管に対する導波管アンテナピン固定治具を、製作することができる。
【００２７】
この導波管アンテナピン固定治具では、胴体部の溝部は、該ストレート形アンテナピンが挿入可能な形状で形成される。
【００２８】
又、上記の各導波管アンテナピン固定治具としては、アンテナピンとして、導波管の前後方向に対して直角に屈曲したＬ字状のＬ形アンテナピンが用いられている導波管に対する導波管アンテナピン固定治具を、製作することができる。
【００２９】
この導波管アンテナピン固定治具では、胴体部の溝部は、Ｌ形アンテナピンが挿入可能な形状で形成される。
【００３０】
又、上記の各導波管アンテナピン固定治具としては、アンテナピンとして、導波管の前後方向に対して左右方向に並べて配置された直線状のストレート形アンテナピン、及び、Ｌ字状のＬ形アンテナピンの２本のアンテナピンが用いられている導波管に対する導波管アンテナピン固定治具を、製作することができる。
【００３１】
この導波管アンテナピン固定治具では、胴体部は、ストレート形アンテナピンが挿入可能な形状の溝部、及び、Ｌ形アンテナピンが挿入可能な形状の溝部を備えると共に、ストレート形アンテナピン用とＬ形アンテナピン用の２個のアンテナピン位置決手段を備えている。
【００３２】
又、上記の各導波管アンテナピン固定治具としては、アンテナピンとして、導波管の前後方向に対して左右方向に並べて配置されると共に、左右対称に屈曲した２本のθ形アンテナピンが用いられている導波管に対する導波管アンテナピン固定治具を製作することができる。
【００３３】
上記のθ形アンテナピンは、左右対称に屈曲した２本のアンテナピンの一方の屈曲角度が０゜〜９０゜、他方の屈曲角度が９０゜〜１８０゜になるように形成され、それぞれのアンテナピンの形状が、相互に対称であるような２本のアンテナピンである。
【００３４】
上記の導波管アンテナピン固定治具では、胴体部は、２本のθ形アンテナピンが挿入可能な左右対称な形状の２本の溝部、及び、θ形アンテナピン用の２個のアンテナピン位置決手段を備えている。
【００３５】
又、上述したいずれかの導波管アンテナピン固定治具を複数用いて構成された複合導波管アンテナピン固定治具を、製作することもできる。
【００３６】
この複合導波管アンテナピン固定治具は、同一構成で同一形状の導波管が、複数隣接して並べて形成された複合導波管に対して、この複合導波管を構成する導波管の個数と同数の導波管アンテナピン固定治具を、隣接する導波管相互間のピッチに合わせて並べると共に、複合導波管を構成する導波管シャーシに、挿入可能に結合して構成する。
【００３７】
次に、本発明の導波管アンテナピン固定方法について説明する。本発明の導波管アンテナピン固定方法は、上述したいずれかの導波管アンテナピン固定治具、又は、複合導波管アンテナピン固定治具を用いた導波管アンテナピン固定方法である。この導波管アンテナピン固定方法は、回路基板取付工程、治具挿入工程、アンテナピン取付工程、アンテナピン固定工程、及び、治具除去工程で構成される。
【００３８】
この内、回路基板取付工程は、アンテナピンが、回路基板に取付られていない状態で、該回路基板を導波管シャーシに取付る工程である。
【００３９】
治具挿入工程は、回路基板が装着済の導波管シャーシに、導波管アンテナピン固定治具、又は、複合導波管アンテナピン固定治具を挿入して、これらの治具の把手部の斜面部を、導波管シャーシの開口部の斜面に接面させる工程である。
【００４０】
アンテナピン取付工程は、アンテナピンを、導波管シャーシに装着済の回路基板に取付ると共に、このアンテナピンが、胴体部の溝部に挿入されて、導波管シャーシに対する位置決めが行われる工程である。
【００４１】
アンテナピン固定工程は、アンテナピンを、回路基板に固定する工程である。
【００４２】
そして、治具除去工程は、導波管シャーシから、導波管アンテナピン固定治具、又は、複合導波管アンテナピン固定治具を引出して除去する工程である。
【００４３】
上記の導波管アンテナピン固定方法によれば、回路基板をこの回路基板にアンテナピンを固定するのに用いた治具から外して導波管シャーシに装着するというような、手間を省くことができると共に、アンテナピンを導波管シャーシに対して高精度に取付ることができる。
【発明の効果】
【００４４】
本発明によれば、既に導波管シャーシに装着済の回路基板に、アンテナピンを取付ることができるので、従来の方法で必要であった、回路基板にアンテナピンを固定するのに用いた治具から回路基板を外して導波管シャーシに装着するというような手間を、省くことができる。
【００４５】
又、導波管アンテナピン固定治具を、直接、導波管シャーシの内部に挿入して、この導波管シャーシに対するアンテナピンの位置決めを行うことができるので、アンテナピンの導波管シャーシへの取付を、高精度に行うことができる。
【発明を実施するための最良の形態】
【００４６】
次に、本発明の実施の形態における導波管アンテナピン固定治具について、図面を参照しながら説明する。本実施の形態における導波管アンテナピン固定治具は、導波管にアンテナピンを固定するのに用いられる治具である。
【００４７】
＜導波管の説明＞
そこで、まず、本実施の形態における導波管アンテナピン固定治具を用いてアンテナピンを固定する作業に使用される導波管について、説明する。図１は、本実施の形態で使用される導波管５Ａの縦断面図である。図１において、この導波管５Ａは、導波管シャーシ６、回路基板９、及び、ストレート形アンテナピン１０ａで構成されている。尚、図１において、図１の右方向を、この導波管５Ａの前方、図１の左方向を、この導波管５Ａの後方と称する。
【００４８】
上記の導波管５Ａにおいて、導波管シャーシ６は、後方から前方にかけて配置された開口部７と胴部８とで構成されている。これらの開口部７と胴部８とは、開口部７の前部と胴部８の後部とが結合されている。
【００４９】
この内、胴部８は、中空で筒状の胴部内部空間８０を備えている。又、開口部７は、該胴部８の後端から後方の外部に向かってメガホン状に広がる斜面７１で囲まれた開口部内部空間７０を有しており、この開口部内部空間７０は、上記の胴部８の胴部内部空間８０と連通している。
【００５０】
又、回路基板９は、上記の導波管５Ａ用の電子回路を搭載した基板である。この回路基板９は、導波管シャーシ６の胴部８の外側面に、図示されていない回路基板取付部材を用いて、装着されている。
【００５１】
そして、ストレート形アンテナピン１０ａは、上記の回路基板９に形成された取付孔９１、及び、上記の導波管シャーシ６の胴部８に形成された挿入孔８１を貫通すると共に、該胴部８の胴部内部空間８０に突出して、回路基板９に固定されている。尚、図１において、８２は、反射ピン、８３は、出力ピンである。
【００５２】
図２は、導波管５Ａを後方から見た図であり、従って、図２は、導波管５Ａの背面図である。又、図１は、図２のＡ−Ａ断面図に相当する。
【００５３】
又、本実施の形態では、導波管として、上記の導波管５Ａのほか、導波管５Ｂ、導波管５Ｃ、及び、導波管５Ｄを用いている。導波管５Ａは、アンテナピンとして、ストレート形アンテナピン１０ａを１本用いた導波管である。導波管５Ｂは、アンテナピンとして、Ｌ形アンテナピン１０ｂを１本用いた導波管である。導波管５Ｃは、アンテナピンとして、ストレート形アンテナピン１０ａ、及び、Ｌ形アンテナピン１０ｂの２本のアンテナピンを用いた導波管である。そして、導波管５Ｄは、アンテナピンとして、２本のθ形アンテナピン１０ｃを用いた導波管である。
【００５４】
図３〜図６は、これらの各導波管について、アンテナピンが設置されている導波管シャーシ６の胴部８の一部分を示したものであり、各図において、（ａ）は、導波管シャーシ６の胴部８の直径方向で切断して、切断面を後方から見た横断面図、（ｂ）は、導波管シャーシ６の胴部８の長手方向で切断した縦断面図である。
【００５５】
導波管５Ａは、図３（ａ）、図３（ｂ）に示すように、直線状のストレート形アンテナピン１０ａを１本用いた導波管であり、このストレート形アンテナピン１０ａが、導波管シャーシ６の胴部８の胴部内部空間８０の略中心に設置されている。
【００５６】
導波管５Ｂは、図４（ａ）、図４（ｂ）に示すように、Ｌ形アンテナピン１０ｂを１本用いた導波管である。このＬ形アンテナピン１０ｂは、垂直部分と、この垂直部分に対して直角に屈曲した水平部分とを備えている。この水平部分が、導波管シャーシ６の胴部８の側面から胴部内部空間８０に突出して設置されている。このＬ形アンテナピン１０ｂの水平部分の先端の位置は、一般には、胴部内部空間８０の中心線からずれている。
【００５７】
導波管５Ｃは、図５（ａ）、図５（ｂ）に示すように、上記の導波管５Ａに用いられているストレート形アンテナピン１０ａと、上記の導波管５Ｂに用いられているＬ形アンテナピン１０ｂとの２本のアンテナピンを用いた導波管である。これらのストレート形アンテナピン１０ａ、及び、Ｌ形アンテナピン１０ｂは、導波管シャーシ６の胴部８の前後方向に対して、左右方向に並べて配置されている。又、これらのストレート形アンテナピン１０ａ、及び、Ｌ形アンテナピン１０ｂは、それぞれ、上記の導波管５Ａ、及び、導波管５Ｂと同様にして設置されている。
【００５８】
導波管５Ｄは、図６（ａ）、図６（ｂ）に示すように、２本のθ形アンテナピン１０ｃを用いた導波管である。このθ形アンテナピンは、左右対称に屈曲した２本のアンテナピンであり、これらが対で使用される。この１対のθ形アンテナピン１０ｃの屈曲角度は、一方が０゜〜９０゜、他方が９０゜〜１８０゜になるように形成され、それぞれのアンテナピンの形状が、相互に対称である。これらの２本のθ形アンテナピン１０ｃの屈曲した部分が、導波管シャーシ６の胴部８の上斜め側面から胴部内部空間８０に突出させて設置されると共に、屈曲した部分の先端が相互に対面するように、胴部内部空間８０内に設置されている。
【００５９】
又、本実施の形態では、導波管として、上記の各導波管を複数組み合わせて形成された複合導波管も使用している。図７は、このような複合導波管の例として、上記の導波管５Ａと同構造の導波管を２個組み合わせて形成された複合導波管１５の背面図である。
【００６０】
＜導波管アンテナピン固定治具の説明＞
次に、本実施の形態における導波管アンテナピン固定治具について、説明する。本実施の形態における導波管アンテナピン固定治具は、上述した各導波管において、アンテナピンを、回路基板９に形成された取付孔９１、及び、導波管シャーシ６の胴部８に形成された挿入孔８１を貫通させると共に、胴部８の胴部内部空間８０に突出させて、回路基板９に固定する作業を行うのに用いられる。この作業を、導波管のアンテナピン固定作業と称する
本実施の形態では、上述したそれぞれの導波管に対して、導波管のアンテナピン固定作業に適合した導波管アンテナピン固定治具について、説明する。
【００６１】
まず、導波管５Ａ用の導波管アンテナピン固定治具１Ａａについて、説明する。図８、図９は、導波管アンテナピン固定治具１Ａａの外観図であり、図８は、導波管アンテナピン固定治具１Ａａを後方から見た斜視図、図９は、導波管アンテナピン固定治具１Ａａを前方から見た斜視図である。又、図１０は、導波管アンテナピン固定治具１Ａａの上面図、図１１は、図１０のＢ−Ｂ断面図、そして、図１２は、導波管アンテナピン固定治具１Ａａを前方から見た正面図である。
【００６２】
導波管アンテナピン固定治具１Ａａは、後方から前方にかけて配置された把手部２と胴体部３とで構成されている。これらの把手部２と胴体部３とは、把手部２の前部と胴体部３の後部とが結合されている。
【００６３】
把手部２は、この把手部２の前部に、導波管５Ａにおける導波管シャーシ６の開口部７の斜面７１と接面可能な斜面部２１を備えている。この把手部２は、後部が方形体状で、前部が円筒形状である。後部が方形体状をしているのは、導波管のアンテナピン固定作業を容易化するためである。
【００６４】
又、胴体部３は、筒状で、把手部２の斜面部２１の前端に結合されている。又、胴体部３は、導波管のアンテナピン固定作業の際に、ストレート形アンテナピン１０ａが挿入される溝部３１を備えている。この溝部３１は、この溝部３１の直径方向の向きが、把手部２の方形体状の垂直な一辺と平行になるように、形成されている。又、この溝部３１は、導波管シャーシ６の長手方向、即ち、導波管アンテナピン固定治具１Ａａの長手方向に、平行になるように形成されている。
【００６５】
又、この溝部３１の内部（胴体部３の内部）には、この溝部３１に挿入されたストレート形アンテナピン１０ａに対して、導波管５Ａの導波管シャーシ６に対する位置決めを行うのに用いられる固定片３２と可動片３３ａを備えている。
【００６６】
固定片３２は、溝部３１の後方側に配置されて胴体部３と結合している。可動片３３ａは、溝部３１の前方側下方に配置されている。この可動片３３ａは、胴体部３の前面に沿った垂直辺３３０ａと、胴体部３の側面下側に沿った水平辺３３０ｃとを備えたＬ字形をしており、このＬ字形の角の部分に、回転軸３４を備えている。
【００６７】
この回転軸３４を支点として、可動片３３ａは、垂直辺３３０ａの先端が前方に移動するように回動する。又、水平辺３３０ｃの後端は、スプリング３５で後方に引っ張られるように付勢されている。即ち、ストレート形アンテナピン１０ａの先端と接する部分である可動片３３ａの垂直辺３３０ａの先端が、前方へ傾斜可能で、且つ、静止状態を維持するように、可動片３３ａがスプリング３５により、付勢されている。
【００６８】
固定片３２と可動片３３ａとの間には、上方から挿入されるストレート形アンテナピン１０ａが入る隙間が形成されている。ストレート形アンテナピン１０ａは、この隙間に挿入される。
【００６９】
この状態で、固定片３２が、前方に向かってストレート形アンテナピン１０ａの先端の側部に接すると共に、可動片３３ａの垂直辺３３０ａが、固定片３２とストレート形アンテナピン１０ａの先端を間に挟んで対面する側から、後方に向かってストレート形アンテナピン１０ａの先端に接する。こうして、ストレート形アンテナピン１０ａの導波管５Ａの導波管シャーシ６に対する位置決めが行われる。
【００７０】
上記の固定片３２、可動片３３ａ、回転軸３４、及び、スプリング３５とで構成される部分が、前述したアンテナピン位置決手段に相当する。
【００７１】
図１３、及び、図１４は、導波管アンテナピン固定治具１Ａａが、導波管５Ａの導波管シャーシ６に挿入された状態を示している。図１３は、導波管アンテナピン固定治具１Ａａが、導波管５Ａの導波管シャーシ６に挿入されて、ストレート形アンテナピン１０ａが導波管シャーシ６に取り付けられた状態の縦断面図であり、図１４は、その背面図である。
【００７２】
次に、導波管アンテナピン固定治具１Ａａを用いた、導波管５Ａに対する導波管のアンテナピン固定作業の方法について、説明する。図１５〜図１９は、この導波管５Ａに対する導波管のアンテナピン固定作業の方法を説明した図であり、各図において、（ａ）は、導波管シャーシ６の胴部８の直径方向で切断して、切断面を後方から見た横断面図、（ｂ）は、導波管シャーシ６の胴部８の長手方向で切断した縦断面図である。
【００７３】
まず、最初に、回路基板９を、導波管５Ａの導波管シャーシ６の胴部８の外側面に、図示されていない回路基板取付部材を用いて装着する。この回路基板取付部材を用いた回路基板９の装着により、回路基板９のアンテナピン取付孔９１の中心と、導波管シャーシ６の胴部８のアンテナピン挿入孔８１の中心とが一致する。又、この回路基板９には、ストレート形アンテナピン１０ａは、まだ、取り付けられていない（図１５（ａ）、（ｂ））。
【００７４】
次に、導波管アンテナピン固定治具１Ａａの把手部２を手で保持して、この導波管アンテナピン固定治具１Ａａを、導波管シャーシ６の後方から、導波管シャーシ６の開口している開口部７に挿入する。そして、導波管アンテナピン固定治具１Ａａの胴部８を、導波管シャーシ６の胴部８の胴部内部空間８０に挿入して、導波管アンテナピン固定治具１Ａａの斜面部２１の表面を、導波管シャーシ６の開口部７の斜面７１に接面させる。
【００７５】
この際に、回路基板９のアンテナピン取付孔９１が真上になるようにすると共に、溝部３１の向きと平行な把手部２の方形体状の一辺が、垂直になるように、導波管アンテナピン固定治具１Ａａを装着する。このようにすることで、回路基板９のアンテナピン取付孔９１と、導波管シャーシ６の胴部８のアンテナピン挿入孔８１、及び、導波管アンテナピン固定治具１Ａａの胴体部３の溝部３１が、同一垂直線上に並んだ状態となる（図１６（ａ）、（ｂ））。
【００７６】
次に、ストレート形アンテナピン１０ａの先端を、回路基板９のアンテナピン取付孔９１、導波管シャーシ６のアンテナピン挿入孔８１、及び、導波管アンテナピン固定治具１Ａａの溝部３１の順に挿入することにより、ストレート形アンテナピン１０ａを、回路基板９に取付る。この状態で、ストレート形アンテナピン１０ａの導波管シャーシ６に対する前後方向の位置決めが行われる。
【００７７】
即ち、ストレート形アンテナピン１０ａが、固定片３２と可動片３３ａの垂直片３３０ａとの間に挟まれることにより、ストレート形アンテナピン１０ａが位置決めされる。この状態で、ストレート形アンテナピン１０ａを、ハンダ付け等により、回路基板９へ固定する（図１７（ａ）、（ｂ））。
【００７８】
このストレート形アンテナピン１０ａの回路基板９への固定が完全に完了すると、次に、導波管アンテナピン固定治具１Ａａの把手部２を手で握持して、この導波管アンテナピン固定治具１Ａａを後方に引出す。すると、可動片３３ａの垂直片３３０ａの頂部が、ストレート形アンテナピン１０ａの先端に係止されて前方に向かって傾斜すると共に、該垂直片３３０ａの頂部が、ストレート形アンテナピン１０ａの先端をかすめて通りすぎる。この通りすぎが終了すると、該垂直片３３０ａの頂部が元の位置に戻る。即ち、可動片３３ａが元の位置に復帰する。（図１８（ａ）、（ｂ）、図１９（ａ）、（ｂ））
導波管アンテナピン固定治具１Ａａにおける可動片３３ａの水平辺３３０ｃの後端は、スプリング３５で後方に引っ張られるように付勢されているので、可動片３３ａは、上記のように元の状態に戻るのである。
【００７９】
上記のようにすることで、導波管アンテナピン固定治具１Ａａを、導波管シャーシ６からスムースに引出すことができると共に、導波管アンテナピン固定治具１Ａａの可動片３３ａを、シンプルに構成することができ、導波管アンテナピン固定治具１Ａａのコスト増加を抑制することができる。
【００８０】
上記の導波管アンテナピン固定治具１Ａａによれば、既に導波管シャーシ６に装着済の回路基板９に、ストレート形アンテナピン１０ａを取付ることができるので、従来の方法で必要であった、回路基板にアンテナピンを固定するのに用いた治具から回路基板を外して導波管シャーシに装着するというような手間を、省くことができる。
【００８１】
又、上記の導波管アンテナピン固定治具１Ａａを用いると、この導波管アンテナピン固定治具１Ａａを、直接、導波管シャーシ６の内部に挿入して、この導波管シャーシ６に対するストレート形アンテナピン１０ａの位置決めを行うことができるので、アンテナピンの導波管シャーシへの取付を、高精度に行うことができる。
【００８２】
上記の導波管アンテナピン固定治具１Ａａでは、導波管５Ａにおいて、ストレート形アンテナピン１０ａが、固定片３２と可動片３３ａの垂直片３３０ａとの間に挟まれることにより、ストレート形アンテナピン１０ａが導波管シャーシ６に対して位置決めされる。この位置決めは、導波管シャーシ６の前後方向の位置決めであり、上下方向の位置決めは、対象としていない。
【００８３】
そこで、導波管５Ａにおいて、導波管シャーシ６の前後方向に対する位置決めのみならず、上下方向に対する位置決めを行わせるようにしたのが、次に説明する導波管アンテナピン固定治具１Ａｂである。
【００８４】
図２０は、この導波管アンテナピン固定治具１Ａｂの上面図、図２１は、図２０のＣ−Ｃ断面図、そして、図２２は、導波管アンテナピン固定治具１Ａｂを前方から見た正面図である。
【００８５】
上記の導波管アンテナピン固定治具１Ａｂは、上述した導波管アンテナピン固定治具１Ａａと略同構造である。この導波管アンテナピン固定治具１Ａｂが上記の導波管アンテナピン固定治具１Ａａと異なるのは、導波管アンテナピン固定治具１Ａｂの胴体部３の溝部３１に設けられている可動片３３ａにおける垂直片３３０ｂの頂部の後端に、この頂部から垂直に下方に向けて、且つ、水平に後方に向けて切り欠けを形成することで構成される段部３６が、備えられている点である。即ち、段部３６は、垂直面と水平面とを備えている。
【００８６】
この段部３６は、導波管５Ａにおいて、導波管シャーシ６の前後方向の位置決めのみならず、上下方向の位置決めを行わせるためのものである。即ち、図２３に示すように、この段部３６の垂直面と固定片３２との間にストレート形アンテナピン１０ａが挿入されることで、導波管シャーシ６の前後方向に対する位置決めが行われ、この段部３６の水平面に、ストレート形アンテナピン１０ａの先端が当接することで、導波管シャーシ６の前後方向に対する位置決めが行われる。尚、図２３（ａ）は、導波管シャーシ６の胴部８の直径方向で切断して、切断面を後方から見た横断面図、図２３（ｂ）は、導波管シャーシ６の胴部８の長手方向で切断した縦断面図である。
【００８７】
上記の導波管アンテナピン固定治具１Ａｂを用いた、導波管５Ａに対するアンテナピン固定作業の方法は、上述した導波管アンテナピン固定治具１Ａａを用いた、導波管５Ａに対するアンテナピン固定作業の方法と同じである。
【００８８】
次に、導波管５Ｂ用の導波管アンテナピン固定治具１Ｂａについて、説明する。図２４は、導波管アンテナピン固定治具１Ｂａの上面図、図２５は、図２４のＤ−Ｄ断面図、そして、図２６は、導波管アンテナピン固定治具１Ｂａを前方から見た正面図である。
【００８９】
上記の導波管アンテナピン固定治具１Ａｂは、上述した導波管アンテナピン固定治具１Ａａと略同構造である。この導波管アンテナピン固定治具１Ｂｂが、上記の導波管アンテナピン固定治具１Ａａと異なるのは、２点ある。
【００９０】
１点目は、導波管シャーシ６の長手方向、即ち、導波管アンテナピン固定治具１Ｂａの長手方向に平行な溝部３１のほか、導波管５ＢのＬ形アンテナピン１０ｂが挿入できるようにするための、導波管シャーシ６の直径方向に平行な溝部３１ａが設けられている点である。
【００９１】
２点目は、導波管５ＢのＬ形アンテナピン１０ｂにおいて、Ｌ形アンテナピン１０ｂの水平部分の先端の位置は、一般には、胴部内部空間８０の中心線からずれていることから、これに適合するように、導波管アンテナピン固定治具１Ｂａの、溝部３１、固定片３２、及び、可動片３３ａが、導波管アンテナピン固定治具１Ｂａの胴部８の中心線からずれて形成されている点である。
【００９２】
上記の導波管アンテナピン固定治具１Ｂａを用いることにより、導波管５Ｂにおいて、上述した導波管アンテナピン固定治具１Ａａと略同様にして、図２７に示すように、導波管シャーシ６の前後方向に対する位置決めが行われる。尚、図２７（ａ）は、導波管シャーシ６の胴部８の直径方向で切断して、切断面を後方から見た横断面図、図２７（ｂ）は、導波管シャーシ６の胴部８の長手方向で切断した縦断面図である。
【００９３】
従って、上記の導波管アンテナピン固定治具１Ｂａを用いた、導波管５Ｂに対するアンテナピン固定作業の方法は、上述した導波管アンテナピン固定治具１Ａａを用いた、導波管５Ａに対するアンテナピン固定作業の方法と同じである。
【００９４】
又、導波管アンテナピン固定治具１Ａａにおけるのと同様、導波管アンテナピン固定治具１Ｂａにおいて、胴体部３の可動片３３ａに代えて、可動片３３ｂの垂直片３３０ｂの段部３６と同様の段部を、垂直片に備えた可動片を用いることにより、導波管５Ｂに対する導波管シャーシ６の前後方向の位置決めのみならず、上下方向の位置決めを行うことが可能な、導波管アンテナピン固定治具を形成することができる。
【００９５】
上述した導波管５Ａ用の導波管アンテナピン固定治具１Ａａや、導波管５Ｂ用の導波管アンテナピン固定治具１Ｂａと同様にして、導波管５Ｃ用の導波管アンテナピン固定治具１Ｃａ、及び、導波管５Ｄ用の導波管アンテナピン固定治具１Ｄａを形成することができる。
【００９６】
図２８は、導波管５Ｃの導波管シャーシ６に挿入された導波管アンテナピン固定治具１Ｃａに、ストレート形アンテナピン１０ａ、及び、Ｌ形アンテナピン１０ｂが挿入されて、これらのアンテナピンが位置決めされている状態を示したものである。尚、図２８は、導波管シャーシ６の胴部８の直径方向で切断して、切断面を後方から見た横断面図である。
【００９７】
この導波管５Ｃ用の導波管アンテナピン固定治具１Ｃａは、導波管５Ｃ用の導波管アンテナピン固定治具１Ｃａの内部に、導波管５Ａ用の導波管アンテナピン固定治具１Ａａが胴部８の内部に備える構造と、導波管５Ｂ用の導波管アンテナピン固定治具１Ｂａが胴部８の内部に備える構造とを、共に備えて構成されている。
【００９８】
又、図２９は、導波管５Ｄの導波管シャーシ６に挿入された導波管アンテナピン固定治具１Ｄａに、２本のθ形アンテナピン１０ｃが挿入されて、これらのアンテナピンが位置決めされている状態を示したものである。尚、図２９は、導波管シャーシ６の胴部８の直径方向で切断して、切断面を後方から見た横断面図である。
【００９９】
この導波管５Ｄ用の導波管アンテナピン固定治具１Ｄａは、導波管５Ｄ用の導波管アンテナピン固定治具１Ｄａの内部に、導波管５Ｂ用の導波管アンテナピン固定治具１ＢａにおけるＬ形アンテナピン１０ｂに対するのと略同様の構造を、左右対称に備えて構成されている。
【０１００】
この導波管５Ｄ用の導波管アンテナピン固定治具１Ｄａが、導波管５Ｂ用の導波管アンテナピン固定治具１Ｂａと異なるのは、θ形アンテナピン１０ｃの屈曲角度が直角でない点に適合するように、そして、左右に対称な２本のθ形アンテナピン１０ｃに適合するように、構成されている点である。
【０１０１】
上記の導波管５Ｃ用の導波管アンテナピン固定治具１Ｃａ、及び、導波管５Ｄ用の導波管アンテナピン固定治具１Ｄａを用いることにより、上述した導波管アンテナピン固定治具１Ａａと略同様にして、導波管シャーシ６の前後方向に対する位置決めが行われる。従って、上記の導波管５Ｃ用の導波管アンテナピン固定治具１Ｃａ、及び、導波管５Ｄ用の導波管アンテナピン固定治具１Ｄａを用いたアンテナピン固定作業の方法は、上述した導波管アンテナピン固定治具１Ａａを用いた、導波管５Ａに対するアンテナピン固定作業の方法と同じである。
【０１０２】
又、導波管アンテナピン固定治具１Ａａにおけるのと同様、上記の導波管５Ｃ用の導波管アンテナピン固定治具１Ｃａ、及び、導波管５Ｄ用の導波管アンテナピン固定治具１Ｄａにおいて、胴体部３の可動片３３ａに代えて、可動片３３ｂの垂直片３３０ｂの段部３６と同様の段部を、垂直片に備えた可動片を用いることにより、導波管シャーシ６の前後方向の位置決めのみならず、上下方向の位置決めを行うことが可能な、導波管アンテナピン固定治具を形成することができる。
【０１０３】
又、上述した各導波管アンテナピン固定治具を複数組み合わせて構成することにより、上述した複合導波管用の導波管アンテナピン固定治具を、構成することができる。図３０は、図７に示す上述した複合導波管１５に用いられる複合導波管アンテナピン固定治具１１の外観を表した斜視図である。
【０１０４】
この複合導波管アンテナピン固定治具１１は、同一構成で同一形状の導波管が、複数隣接して並べて形成された複合導波管１５に対して、この複合導波管１５を構成する導波管の個数と同数の導波管アンテナピン固定治具を、隣接する導波管相互間のピッチに合わせて並べると共に、複合導波管１５を構成する導波管シャーシに、挿入可能に、連結部１２により結合して構成する。
【０１０５】
このような複合導波管アンテナピン固定治具１１を用いることにより、上述した説明と同様にして、複合導波管１５に対する導波管のアンテナピン固定作業を、行うことができる。
【図面の簡単な説明】
【０１０６】
【図１】本実施の形態で使用される導波管５Ａの縦断面図である。
【図２】本実施の形態で使用される導波管５Ａの背面図である。
【図３】本実施の形態における導波管５Ａの導波管シャーシの胴部の、（ａ）は横断面図、（ｂ）は縦断面図である。
【図４】本実施の形態における導波管５Ｂの導波管シャーシの胴部の、（ａ）は横断面図、（ｂ）は縦断面図である。
【図５】本実施の形態における導波管５Ｃの導波管シャーシの胴部の、（ａ）は横断面図、（ｂ）は縦断面図である。
【図６】本実施の形態における導波管５Ｄの導波管シャーシの胴部の、（ａ）は横断面図、（ｂ）は縦断面図である。
【図７】本実施の形態における複合導波管の背面図である。
【図８】本実施の形態における導波管アンテナピン固定治具１Ａａを後方から見た斜視図である。
【図９】本実施の形態における導波管アンテナピン固定治具１Ａａを前方から見た斜視図である。
【図１０】本実施の形態における導波管アンテナピン固定治具１Ａａの上面図である。
【図１１】図１０のＢ−Ｂ断面図である。
【図１２】本実施の形態における導波管アンテナピン固定治具１Ａａを前方から見た正面図である。
【図１３】本実施の形態における導波管アンテナピン固定治具１Ａａが、導波管５Ａの導波管シャーシに挿入され、ストレート形アンテナピンが導波管シャーシに取付られた状態の縦断面図である。
【図１４】本実施の形態における導波管アンテナピン固定治具１Ａａが、導波管５Ａの導波管シャーシに挿入され、ストレート形アンテナピンが導波管シャーシに取付られた状態の背面図である。
【図１５】（ａ）、（ｂ）は、本実施の形態における導波管アンテナピン固定治具１Ａａを用いた導波管５Ａに対する導波管のアンテナピン固定作業の方法の説明図（その１）である。
【図１６】（ａ）、（ｂ）は、本実施の形態における導波管アンテナピン固定治具１Ａａを用いた導波管５Ａに対する導波管のアンテナピン固定作業の方法の説明図（その２）である。
【図１７】（ａ）、（ｂ）は、本実施の形態における導波管アンテナピン固定治具１Ａａを用いた導波管５Ａに対する導波管のアンテナピン固定作業の方法の説明図（その３）である。
【図１８】（ａ）、（ｂ）は、本実施の形態における導波管アンテナピン固定治具１Ａａを用いた導波管５Ａに対する導波管のアンテナピン固定作業の方法の説明図（その４）である。
【図１９】（ａ）、（ｂ）は、本実施の形態における導波管アンテナピン固定治具１Ａａを用いた導波管５Ａに対する導波管のアンテナピン固定作業の方法の説明図（その５）である。
【図２０】本実施の形態における導波管アンテナピン固定治具１Ａｂの上面図である。
【図２１】図２０のＣ−Ｃ断面図である。
【図２２】本実施の形態における導波管アンテナピン固定治具１Ａｂを前方から見た正面図である。
【図２３】（ａ）、（ｂ）は、本実施の形態における導波管アンテナピン固定治具１Ａｂが、導波管５Ａの導波管シャーシに挿入され、ストレート形アンテナピンが導波管シャーシに取り付けられた状態の説明図である。
【図２４】本実施の形態における導波管アンテナピン固定治具１Ｂａの上面図である。
【図２５】図２４のＤ−Ｄ断面図である。
【図２６】本実施の形態における導波管アンテナピン固定治具１Ｂａを前方から見た正面図である。
【図２７】（ａ）、（ｂ）は、本実施の形態における導波管アンテナピン固定治具１Ｂａが、導波管５Ｂの導波管シャーシに挿入され、Ｌ形アンテナピンが導波管シャーシに取り付けられた状態の説明図である。
【図２８】本実施の形態における導波管アンテナピン固定治具１Ｃａが、導波管５Ｃの導波管シャーシに挿入され、ストレート形アンテナピン及びＬ形アンテナピンが導波管シャーシに取り付けられた状態の説明図である。
【図２９】本実施の形態における導波管アンテナピン固定治具１Ｄａが、導波管５Ｄの導波管シャーシに挿入され、θ形アンテナピンが導波管シャーシに取り付けられた状態の説明図である。
【図３０】本実施の形態における複合導波管アンテナピン固定治具の外観を表した斜視図である。
【符号の説明】
【０１０７】
１Ａａ  導波管アンテナピン固定治具
１Ａｂ  導波管アンテナピン固定治具
１Ｂａ  導波管アンテナピン固定治具
１Ｃａ  導波管アンテナピン固定治具
１Ｄａ  導波管アンテナピン固定治具
２  把手部
２１  斜面部
３  胴体部
３１  溝部
３１ａ  溝部
３２  固定片
３３ａ  可動片
３３０ａ  垂直片
３３０ｃ  水平片
３３ｂ  可動片
３３０ｂ  垂直片
３４  回転軸
３５  スプリング
３６  段部
５Ａ  導波管
５Ｂ  導波管
５Ｃ  導波管
５Ｄ  導波管
６  導波管シャーシ
７  開口部
７０  開口部内部空間
７１  斜面
８  胴部
８０  胴部内部空間
８１  アンテナピン挿入孔
８２  反射ピン
８３  出力ピン
９  回路基板
９１  アンテナピン取付孔
１０ａ  ストレート形アンテナピン
１０ｂ  Ｌ形アンテナピン
１０ｃ  θ形アンテナピン
１１  複合導波管アンテナピン固定治具
１２  連結部
１５  複合導波管
【図１】
2009147433.tif 000003
【図２】
2009147433.tif 000004
【図３】
2009147433.tif 000005
【図４】
2009147433.tif 000006
【図５】
2009147433.tif 000007
【図６】
2009147433.tif 000008
【図７】
2009147433.tif 000009
【図８】
2009147433.tif 000010
【図９】
2009147433.tif 000011
【図１０】
2009147433.tif 000012
【図１１】
2009147433.tif 000013
【図１２】
2009147433.tif 000014
【図１３】
2009147433.tif 000015
【図１４】
2009147433.tif 000016
【図１５】
2009147433.tif 000017
【図１６】
2009147433.tif 000018
【図１７】
2009147433.tif 000019
【図１８】
2009147433.tif 000020
【図１９】
2009147433.tif 000021
【図２０】
2009147433.tif 000022
【図２１】
2009147433.tif 000023
【図２２】
2009147433.tif 000024
【図２３】
2009147433.tif 000025
【図２４】
2009147433.tif 000026
【図２５】
2009147433.tif 000027
【図２６】
2009147433.tif 000028
【図２７】
2009147433.tif 000029
【図２８】
2009147433.tif 000030
【図２９】
2009147433.tif 000031
【図３０】
2009147433.tif 000032